(57)【要約】   【課題】全体構造の簡単化が実現され、前、後、左、右及び中央の方向へ押することにより、五つの伝送動作が実現することができるガイド案内機構を提供する。【解決手段】  ガイド案内機構には、絶縁スリーブと導電リングとからなる回転機構と、二つの支持部品からなる支持機構と、それぞれに導電リングの内縁の両端から挿入され、当該導電リングの内縁に予応力を印加し、また、それぞれに導電リングから突出して、予設回路の接点と電気的に接続する多数個の端子と、上面に、固定装置が固定する支持機構を有し、底面に、回路のスイッチをトリガーする凸柱が設けられている受け体と、があり、また、導電リングは、当該絶縁スリーブの突起と導電リングの切欠きとの合わせることにより、絶縁スリーブに挿入され、また、当該二つの支持部品は、されぞれ、導電リングの内縁の両端から挿入され、導電リングと絶縁スリーブとを支持する。【選択図】 図１
0003103334.tif 000002
【実用新案登録請求の範囲】
【請求項１】
絶縁スリーブと導電リングとがあり、前記絶縁スリーブと導電リングは、ともに中空リング状であり、また、絶縁スリーブの内縁には、複数の突起があり、また、導電リングの一端には、絶縁スリーブの複数の突起に対応して、複数の切欠きが設けられ、絶縁スリーブの突起と導電リングの切欠きとの嵌合により、導電リングが絶縁スリーブに挿入される、回転機構と、
二つの支持部品があり、当該二つの支持部品には、それぞれに、対応する懸臂があり、また、二つの支持部品は、懸臂が、それぞれに、導電リングの内縁の両端から挿入されることにより、導電リングと絶縁スリーブを支持する、支持機構と、
それぞれに導電リングの内縁の両端から挿入されながら、当該導電リングの内縁に予応力を印加することにより、少なくとも一対の端子は、導電リングに挿入された深さが、導電リングの切欠きの範囲を超えなくて、また、各端子は、それぞれに、導電リングの外側へのばして、予設回路の接点と、電気的に接続する、多数個の端子と、
上面には、固定装置に固定する支持機構があり、受け体の底面の両端には、凸柱が設けられる、受け体と、を有することを特徴とするガイド案内機構。
【請求項２】
当該回転機構の絶縁スリーブの内縁には、突起がない一端に、ストッパーが凸設され、また、当該絶縁スリーブのストッパーは、導電リングが絶縁スリーブに嵌入したら、導電リング１２の末端を突き止める、ことを特徴とする請求項1に記載のガイド案内機構。
【請求項３】
当該回転機構の絶縁スリーブの内縁にある突起と導電リングの切欠きとは、干渉嵌合である、ことを特徴とする請求項1に記載のガイド案内機構。
【請求項４】
当該支持機構において、二つの支持部品の懸臂の末端が、互いに当接することにより、懸臂の機械強度を向上する、ことを特徴とする請求項１に記載のガイド案内機構。
【請求項５】
当該支持機構において、二つの支持部品の懸臂の末端が、互いに凹凸嵌合する、ことを特徴とする請求項４に記載のガイド案内機構
【請求項６】
一部の、予設回路の接点と電気的に接続する複数の端子の末端が、近い位置にあるが、回路の接点上に半田つけされていない、ことを特徴とする請求項１に記載のガイド案内機構。
【請求項７】
各予設回路の接点と電気的に接続する複数の端子の末端が、回路の接点上に半田つけされている、ことを特徴とする請求項１に記載のガイド案内機構。
【請求項８】
当該受け体の中央重心の近くには、位置決め柱が設けられる、ことを特徴とする請求項１に記載のガイド案内機構。
【考案の詳細な説明】
【技術分野】
【０００１】
本考案は、ガイド案内機構に関し、特に、全体構造の簡単化が実現され、前、後、左、右及び中央の方向へ押することにより、五つの伝送動作が実現されるものに関する。
【背景技術】
【０００２】
一般に、US特許第6,097,964号に掲示される「携帯電話機のガイドボタン」が良く知られ、当該特許明細書の図７のように、当該ガイドボタンには、軸体２０があり、当該軸体２０の中央には、軸２４が設けられ、また、当該軸体２０と軸２４とは、軸受４６とエンコーダ５９の間に設置され、また、当該軸体２０とエンコーダ５９の間には、金属盤４８と外部スリーブ５３が設置され、また、当該エンコーダ５９の外側には、ロックユニット４５が設置され、これにより、携帯電話機のガイドボタンが構成され、ユーザと携帯電話機の電子システムとの通信媒介になる。
【０００３】
上記の「携帯電話機のガイドボタン」は、主として、ユーザと携帯電話機の間の通信媒介であるが、図７から分かるように、該ガイドボタンの各部において、互いに位置決めする位置決め機構と互いに活動範囲を制限する構造が含まれる、パーツの構造は、非常に複雑であり、携帯電話機が、軽薄化や小型化を強調する、今では、こんな複雑な構造を持つ、携帯電話機や他の電子装置を製造するには、工時や不良率などの不具合の発生が、避けられない。
【０００４】
図８によると、当該ガイドボタンは、単に、前へ、後への回転選択する、及び下へ押して確認する動作しかできず、故に、簡単な電子システムの簡単型電子装置にしか適用できなくなり、従って、電子システムが複雑である多機能携帯電話機、PDA、Smart Phone、．．．等の電子装置について、ユーザと電子システムの間の通信インターフェスとし、ガイド案内機構を設計する必要がある。
【特許文献１】US特許第6,097,964号明細書
【考案の開示】
【考案が解決しようとする課題】
【０００５】
本考案の主な目的は、回転機構や、支持機構、多数個端子、および受け体等の、構造が簡単であるパーツにより、ガイド案内機構を構成し、これにより、当該ガイド案内機構の全体構造の簡単化が実現され、複雑な構造を持つ、携帯電話機や他の電子装置を製造する時、発生する工時や不良率などの不具合を解決することにある。
【０００６】
本考案の他の目的は、単に、前へ、後への回転選択する、及び下へ押して確認する動作しかできないガイドボタンの代わりに、前、後、左、右及び中央の方向へ押することにより、五つの伝送動作が実現されるガイド案内機構で、ユーザのニーズが電子システムに伝送されることを実現することにある。
【課題を解決するための手段】
【０００７】
請求項1に記載の本考案のガイド案内機構は、絶縁スリーブと導電リングとがあり、前記絶縁スリーブと導電リングは、ともに中空リング状であり、また、絶縁スリーブの内縁には、複数の突起があり、また、導電リングの一端には、絶縁スリーブの複数の突起に対応して、複数の切欠きが設けられ、絶縁スリーブの突起と導電リングの切欠きとの嵌合により、導電リングが絶縁スリーブに挿入される、回転機構と、二つの支持部品があり、当該二つの支持部品には、それぞれに、対応する懸臂があり、また、二つの支持部品は、懸臂が、それぞれに、導電リングの内縁の両端から挿入されることにより、導電リングと絶縁スリーブを支持する、支持機構と、
それぞれに導電リングの内縁の両端から挿入されながら、当該導電リングの内縁に予応力を印加することにより、少なくとも一対の端子は、導電リングに挿入された深さが、導電リングの切欠きの範囲を超えなくて、また、各端子は、それぞれに、導電リングの外側へのばして、予設回路の接点と、電気的に接続する、多数個の端子と、上面には、固定装置に固定する支持機構があり、受け体の底面の両端には、凸柱が設けられる、受け体と、を有することを特徴とする。
【０００８】
請求項２に記載の本考案のガイド案内機構は、請求項１において、当該回転機構の絶縁スリーブの内縁には、突起がない一端に、ストッパーが凸設され、また、当該絶縁スリーブのストッパーは、導電リングが絶縁スリーブに嵌入したら、導電リング１２の末端を突き止める、ことを特徴とする。
【０００９】
請求項３に記載の本考案のガイド案内機構は、請求項１において、当該回転機構の絶縁スリーブの内縁にある突起と導電リングの切欠きとは、干渉嵌合である、ことを特徴とする。
【００１０】
請求項４に記載の本考案のガイド案内機構は、請求項１において、当該支持機構において、二つの支持部品の懸臂の末端が、互いに当接することにより、懸臂の機械強度を向上する、ことを特徴とする。
【００１１】
請求項５に記載の本考案のガイド案内機構は、請求項４において、当該支持機構において、二つの支持部品の懸臂の末端が、互いに凹凸嵌合する、ことを特徴とする。
【００１２】
請求項６に記載の本考案のガイド案内機構は、請求項１において、一部の、予設回路の接点と電気的に接続する複数の端子の末端が、近い位置にあるが、回路の接点上に半田つけされていない、ことを特徴とする。
【００１３】
請求項７に記載の本考案のガイド案内機構は、請求項１において、各予設回路の接点と電気的に接続する複数の端子の末端が、回路の接点上に半田つけされている、ことを特徴とする。
【００１４】
請求項８に記載の本考案のガイド案内機構は、請求項１において、当該受け体の中央重心の近くには、位置決め柱が設けられる、ことを特徴とする。
【考案の効果】
【００１５】
ガイド案内機構の全体構造の簡単化が実現され、複雑な構造を持つ、携帯電話機や他の電子装置を製造する時、発生する工時や不良率などの不具合を解決することができる。
【考案を実施するための最良の形態】
【００１６】
図１〜６は、本考案の実施例の一つであり、ユーザと電子装置に内蔵される電子システムとの間の通信インターフェスであるガイド案内機構であり、回転機構１と、支持機構２と、多数個の端子３と、受け体４と、から構成され、これにより、ガイド案内機構の全体構造を簡単化することができ、また、回転機構１、支持機構２、多数個端子３、及び受け体４により、前、後、左、右及び中央への五つの伝送動作が実現され、また、構造簡単である各部のパーツは、製品の不良率に有利である。
【００１７】
本考案の回転機構１には、絶縁スリーブ１１と導電リング１２とがあり、前記絶縁スリーブ１１と導電リング１２は、ともに中空リング状であり、また、絶縁スリーブ１１の内縁が絶縁材で、導電リング１２が金属導体である。当該絶縁スリーブ１１の内縁には、複数の突起１１１があり、また、導電リング１２の一端には、絶縁スリーブ１１の複数の突起１１１に対応して、複数の切欠き１２１が設けられ、絶縁スリーブ１１の突起１１１と導電リング１２の切欠き１２１との嵌合により、導電リング１２が絶縁スリーブ１１に挿入されて、絶縁スリーブ１１の内縁に嵌合される。回転機構１の絶縁スリーブ１１の内縁にある突起１１１と、導電リング１２の切欠き１２１とは、互いに干渉しながら嵌合するものであり、ガイド指示装置が使用されることに従って、導電リング１２と絶縁スリーブ１１との嵌合が離れることを防止するため、絶縁スリーブ１１の内縁において、突起のない一端に、選択的にストッパーを凸設し、当該絶縁スリーブ１１のストッパーは、導電リング１２が絶縁スリーブ１１に嵌入したら、導電リング１２の末端を突き止める。
【００１８】
本実施例によれば、導電リング１２は、絶縁スリーブ１１の突起１１１と導電リング１２の切欠き１２１との干渉嵌合により、絶縁スリーブ１１に固定されているため、かかる技術を良く分かれるものであれば、簡単に、インサート成形（insert molding）で絶縁スリーブ１１の内縁の表面に導電リング１２を成形することを想起できる。
【００１９】
本実施例において、支持機構２には、二つの支持部品２１、２２があり、当該二つの支持部品２１、２２には、それぞれに、対応する懸臂２１１、２２１があり、また、二つの支持部品２１、２２は、二つの支持部品２１、２２の懸臂２１１、２２１が、それぞれに、導電リング１２の内縁の両端から挿入されることにより、導電リング１２と絶縁スリーブ１１を支持する。本実施例において、二つの支持部品２１、２２の懸臂２１１、２２１の末端が、互いに当接することにより、懸臂２１１、２２１が有する、湾曲に対する機械強度は、向上され、また、本実施例において、二つの支持部品２１、２２の懸臂２１１、２２１の末端が、凹凸嵌合で互いに当接することにより、懸臂２１１、２２１には、より強い抗湾曲強度が与えられる。
【００２０】
本実施例において、多数個の端子３が、それぞれに導電リング１２の内縁の二つの末端から挿入されながら、当該導電リング１２の内縁に予応力を印加することにより、導電リング１２と端子３との電気的に接続される状態は、確保される。少なくとも一対の端子３は、導電リング１２に挿入された深さが、導電リング１２の切欠き１２１の範囲を超えなくて、また、他の端子３は、導電リング１２の非切欠き１２１の部位と電気的に接続する状態を確保し、また、各端子３は、それぞれに、導電リング１２の外側へ延ばして、予設回路の接点と、電気的に接続する（図示せず）。
【００２１】
絶縁スリーブ１１の内縁が、絶縁材で、導電リング１２が金属導体であるため、ユーザが、絶縁スリーブ１１を回転させる時、金属導電リング１２は、絶縁スリーブ１１とともに、回転され、この場合、導電リング１２の末端から挿入される深さが、導電リング１２の切欠き１２１の範囲を超えない端子３は、予応力の作用により、順序に導体（導電リング１２）と絶縁体（絶縁スリーブ１１の突起１１１）に接触し、これにより、端子は、絶縁スリーブ１１と導電リング１２の回転方向、速度、及び時間を検出して、信号を電子システムへ伝送する。
【００２２】
前記端子３の末端は、半田つけや圧着接触（半田つけではないもの）の二つの方法で、予設回路の接点に電気的に接続され、その中、半田つけで端子３を予設回路の接点に固定するのは、直接に電気的に接続する位置に固定する効果があるが，案内機構全体の体積や予設回路の接点の表面積を考慮すると、圧着接触などの半田つけでない方法で、端子３と予設回路の接点とを、電気的に接続してもいいが、この場合、端子３と予設回路の接点とは、間接な固定方法によって、対向する位置に保持される。本実施例の図には、圧着接触方法しか表示されていないが、端子３と予設回路接点が、電子装置外側により、ガイド指示装置全体や予設回路の位置に固定され、また、予設回路が、フレキシブル回路板であるため、この技術をよく分かるものであれば、これに従って、実質上、同じである、多数の、他の実施例を想起できる。
【００２３】
本考案の実施例において、端子３が、圧着接触方法で、間接に予設回路の接点に位置決めるため、回転機構１が、力を受けて下へ変形する時、端子３が、予設回路の接点の表面をワイピング（wiping）するとともに、端子３に、弾性変形が行うから、端子３は、ガイド指示装置に回復力を提供する。端子３が予設回路の接点の表面をワイピング（wiping）することには、両者の接触表面にある汚染や酸化物を、除去する役割がある。
【００２４】
前記の、半田つけ方法で端子３と予設回路の接点を対向する位置に固定する実施例においては、端子３が予設回路の接点の表面をワイピングすることができないが、端子３は、予応力（当該予応力は、ケースやパネルを取り付ける時に発生する）により、フレキシブル回路を接触し、或いは、多数個の端子３の末端は、直接に回路の接点に半田つけされ、多数個の端子３をより正確的に位置決めし、また、当該多数個の端子３が、両側にある弾性アームにより受け体に係止されることにより、弾性アームの回復力は、向上される。
【００２５】
本実施例において、受け体４の上面には、固定装置４１に固定する支持機構２があり、当該固定装置４１は、本実施例において、支持機構２を収納且つ係止する凹槽である。受け体４の底面の両端には、凸柱４２が設けられ、当該凸柱４２の底面には、接触できる回路スイッチ（図に未表示）があり、また、当該受け体４の中央重心の近くには、位置決め柱４３が設けられ、当該位置決め柱４３は、単に、受け体を電子装置の所定位置に固定することに用いられ、また、当該位置決め柱４３は、常に、受け体４全体を支持し、また、受け体４の底面の両端にある凸柱４２は、回路スイッチと連動しない。
【００２６】
ユーザが絶縁スリーブ１１の左端を押す時、受け体４の底面の左端にある凸柱４２が、回路スイッチを駆動し、回路スイッチに信号を伝送させ、また、端子３に発生する回復力により、絶縁スリーブ１１が元の位置に戻る時、当該受け体４の左端に、下へ印加する圧力がなくなることにより、受け体４の底面の左端にある凸柱４２は、回路スイッチを駆動することを停止して、ガイド案内機構は、完全に元の状態に戻る。上記の構造により、新しいガイド案内機構を構成する。
【００２７】
本実施例において、当該受け体４の底部の固定装置４１により、当該受け体4は、電子装置におく所定の位置に固定され、また、当該電子装置は、PDA、行動電話、及びSmart Phone等の移動ネットワーク通信設備（図に未表示）である。全体の組み立てが終了したら、当該受け体４の底部にある凸柱４２の底面は、上記設備の回路スイッチの位置に対応して接触するため、当該多数個の端子３から、それぞれに延ばしてきた導電リング１２は、上記設備の予設回路の接点と電気的に接続することができる。本考案は、回転機構により回転させる時、端子を利用して当該回転機構の回転を検出するが、回転機構が正転や逆転であるかを検出するには、幾つの方法があり、この技術をよく分かるものであれば、一般な技術を変更することが簡単で、ここでは、本特許明細書に挙げられた実施例について、例を挙げて説明する。
【００２８】
ユーザが、本実施例である図３、４Aの装置を、前へや後へ回転（上、下選択）する時、当該回転機構１の絶縁スリーブ１１の回転に従って、導電リング１２は、支持機構２を介して、受け体４上で、回転し、この時、導電リング１２の内縁が、常に端子３の接触端３３、３４に接触することにより、導電リング１２と端子３の接触端３３、３４とは、常に導通状態になり、この場合、導電リング１２の他の一側の端子３の接触端３１は、導電リング１２の切欠き１２１（即ち、絶縁スリーブ１１の突起１１１）に対応する位置にあり、導電リング１２は、当該他の一側の端子３の接触端３１とが、不導通の状態になる。同じように、当該絶縁スリーブ１１を前へ回転する時、導通している端子３の他の接触端３２が、導電リング１２の切欠き１２１（即ち、絶縁スリーブ１１の突起１１１）に接触して、不導通の状態になり、また、端子３の導通していなかった接触端３１は、当該回転により、導電リング１２の内縁に接触して、導通の状態になる。これにより、端子３の後から導通する接触端３１が伝送する信号は、先に導通した接触端３２が伝送する信号より遅くなり、さらに、電子システムは、論理判別方法により、当該回転が前へや後へであるかを判別する。
【００２９】
ユーザが、絶縁スリーブ１１左端或いは右端を押す時、回転機構１が、受け体４に対して、下への圧力を生成し、受け体４の底部にある凸柱４２は、それに対応して、設備上の弾性押しボタンを圧迫して、当該弾性押しボタンは、予設回路板上のスイッチをトリガーし、これにより、電子システムは、当該信号を判別して、同時に、多数の端子３は、当該下への圧力により、弾性変形する。下への圧力が除去されたら、端子３の弾性アームが回復力を提供することにより、回転機構１、端子３及び受け体４は、元の位置に戻る。
【００３０】
ユーザが、回転機構１の中央を下へ押すと、該回転機構１が、受け体４に対して、下への圧力を生成する場合、受け体４の底部にある二つの凸柱４２は、同時にまたはわずかの時間差で、設備上の弾性押しボタンを圧迫して、当該二つの弾性押しボタンを介して、予設回路板上のスイッチをトリガーするから、電子システムは、当該信号をもう一種の入力として判別する。同じように、端子３の弾性アームが回復力を提供することにより、回転機構１、端子３及び受け体４が元の位置に戻る。
【００３１】
以上の説明は、ただ、本考案のよりよい実施例であり、本考案の実施範囲を制限するものではなく、また、本考案の実用新案登録請求の範囲や明細書内容に従って等価修正や変更も、本考案の請求範囲に含まれている。
【図面の簡単な説明】
【００３２】
【図１】本考案の立体外観概念図である。
【図２】本考案の他の側面視の立体外観概念図である。
【図３】本考案の立体分解概念図である。
【図４Ａ】本考案のローラーの断面状態概念図である。
【図４Ｂ】本考案のローラーの断面立体外観概念図である。
【図５】本考案の導電リングと多数個の端子の立体外観概念図である。
【図６】本考案の押す動作の概念図である。
【図７】従来の立体分解概念図である。
【図８】従来の押す動作の概念図である。
【符号の説明】
【００３３】
回転機構  １
絶縁スリーブ １１
突起   １１１
導電リング  １２
切欠き  １２１
支持機構  ２
支持部品  ２１、２２
懸臂   ２１１、２２１
多数個端子  ３
接触端  ３１、３２、３３、３４
受け体  ４
固定装置  ４１
凸柱   ４２
位置決め柱  ４３
軸体            ２０
軸              ２４
軸受            ４６
金属盤          ４８
外部スリーブ    ５３
ロックユニット  ４５
エンコーダ      ５９
【図１】
0003103334.tif 000003
【図２】
0003103334.tif 000004
【図３】
0003103334.tif 000005
【図４Ａ】
0003103334.tif 000006
【図４Ｂ】
0003103334.tif 000007
【図５】
0003103334.tif 000008
【図６】
0003103334.tif 000009
【図７】
0003103334.tif 000010
【図８】
0003103334.tif 000011